(57)【要約】【課題】ネットワーク接続装置が多段に接続された場合に、リンク障害の発生を他の装置に通知する際にリンク状態における遷移のばたつきが発生しないネットワーク接続装置及びそれを用いたネットワークを提供する。【解決手段】ポートにてリンク障害が発生したことを検知するリンク障害検知部４と、リンク障害通知信号を送信するよう制御するリンク障害通知信号送信部５と、リンク障害通知信号を受信したことを検知するリンク障害通知信号検知部６と、リンク障害通知信号を受信したとき該リンク障害通知信号を中継する又は中継しないの設定内容を保持する設定内容保持部１５と、リンク障害通知信号を受信したとき、設定内容に基づき、該リンク障害通知信号を中継する又は中継しないを制御するリンク障害通知信号中継制御部７と、ポートを強制的にリンクダウンするリンクダウン制御部８と備える。【選択図】図１
2010212762.tif 000002
【特許請求の範囲】
【請求項１】
一方で受信した信号を他方に送信するよう１対１に対応した第１のポートと第２のポートと、
ポートにてリンク障害が発生したことを検知するリンク障害検知部と、
リンク障害が発生した一方のポートと対応する他方のポートからリンク障害が発生したことを通知するリンク障害通知信号を送信するリンク障害通知信号送信部と、
リンク障害通知信号を受信したことを検知するリンク障害通知信号検知部と、
リンク障害通知信号を受信したとき前記リンク障害通知信号を中継する又は中継しないの設定内容を保持する設定内容保持部と、
リンク障害通知信号を受信したとき、前記設定内容に基づき、前記リンク障害通知信号を中継する又は中継しないを制御するリンク障害通知信号中継制御部と、
前記リンク障害通知信号を中継しないとき、前記リンク障害通知信号を受信した一方のポートと対応する他方のポートをリンクダウンするリンクダウン制御部と、
を備えるネットワーク接続装置。
【請求項２】
リンク障害通知信号を受信したとき、該リンク障害通知信号を受信したポートから第２のリンク障害通知信号を送信する第２のリンク障害通知信号送信部を備える請求項１記載のネットワーク接続装置。
【請求項３】
隣接して接続する装置に対して試験用のリンク障害通知信号を送信し、
前記装置と接続するポートから第２のリンク障害通知信号を受信した場合、前記装置と接続するポートと対応するポートにおいてリンク障害通知信号を受信したとき、リンク障害通知信号を前記装置と接続するポートへ中継するよう設定し、
前記装置と接続するポートから第２のリンク障害通知信号を受信した場合、前記装置と接続するポートと対応するポートにおいてリンク障害通知信号を受信したとき、リンク障害通知信号を中継せず、前記装置と接続するポートをリンクダウンするよう設定する隣接装置判定部を備える請求項２記載のネットワーク装置。
【請求項４】
前記リンク障害通知信号はIEEE802.3aeで規定されるLink Fault Signaling機能のLocal Fault信号である請求項１〜３いずれか記載のネットワーク接続装置。
【請求項５】
請求項１〜４いずれか記載のネットワーク接続装置が多段に接続されたことを特徴とするネットワーク接続装置を用いたネットワーク。
【発明の詳細な説明】
【技術分野】
【０００１】
本発明は、例えば互いに離れたＬＡＮ（Ｌｏｃａｌ  Ａｒｅａ  Ｎｅｔｗｏｒｋ）間を長距離伝送用ネットワークで接続する際に、ＬＡＮと長距離伝送用ネットワークの間に配置され、異なるネットワーク間を接続するネットワーク接続装置及びそれを用いたネットワークに関し、特に、伝送路に障害が発生したときに、障害発生を通知する機能を備えるネットワーク接続装置及びそれを用いたネットワークに関する。
【背景技術】
【０００２】
図４に示されるように、互いに長距離離れたネットワーク４０１とネットワーク４０２（ネットワーク４０１，４０２は例えばＬＡＮ）は長距離伝送用ネットワーク４０３を介して接続される。ネットワーク４０１，４０２と長距離伝送用ネットワーク４０３は、信号を伝送するための規格（例えば、メタルケーブルや光ファイバなどの媒体、符号化形式、伝送速度など）が異なる。
【０００３】
ネットワーク４０１の端部に位置するネットワーク装置４０４は、ネットワーク接続装置４０５に接続される。ネットワーク４０２の端部に位置するネットワーク装置４０７は、ネットワーク接続装置４０６に接続される。ネットワーク接続装置４０５とネットワーク接続装置４０６は、長距離伝送用ネットワーク４０３を介して、相互に接続される。
【０００４】
ネットワーク装置４０４，４０７は、例えば、スイッチングハブである。ネットワーク接続装置４０５，４０６は、例えば、メディアコンバータである。
【０００５】
ネットワーク接続装置４０５，４０６は、受信したデータの信号を、送信する先のネットワークの規格に変換する機能を有する。例えば、ネットワーク接続装置４０５は、ネットワーク４０１内のネットワーク装置４０４からの信号を長距離伝送用ネットワーク４０３の規格に合った信号に変換して長距離伝送用ネットワーク４０３に送信する。また、ネットワーク接続装置４０５は、長距離伝送用ネットワーク４０３からの信号をネットワーク４０１の規格に合った信号に変換してネットワーク４０１内のネットワーク装置４０４に送信する。
【０００６】
ネットワーク接続装置４０５，４０６は伝送路に障害が発生したとき、障害発生をネットワーク装置４０４，４０７に通知する機能を備える。
【０００７】
図５に示すように、ネットワーク装置４０４とネットワーク接続装置４０５の間の伝送路に障害が発生したとする（＃１）。ネットワーク接続装置４０５は障害を検知し、この障害が発生したことをネットワーク接続装置４０６に通知する（＃２）。この通知を受けたネットワーク接続装置４０６は、ネットワーク装置４０７への信号出力を停止する（＃３）。ネットワーク装置４０７は、信号出力の停止を検知して伝送路の障害の発生を知る（例えば、特許文献１、２参照）。
【０００８】
ネットワーク接続装置４０５，４０６の間の障害発生の通知は、オート・ネゴシエーション機能を利用する方法、障害を検知したネットワーク接続装置４０５からネットワーク接続装置４０６への信号の送信を停止する方法又は障害発生通知用の信号を送信する方法などで行っていた。
【先行技術文献】
【特許文献】
【０００９】
【特許文献１】特開２００４−１８７２１３号公報
【特許文献２】特開２００２−１３５３３７号公報
【発明の概要】
【発明が解決しようとする課題】
【００１０】
図６に示されるように、ネットワーク装置６０１にネットワーク接続装置６０２が接続され、ネットワーク接続装置６０２にネットワーク接続装置６０３が接続され、同様にネットワーク接続装置６０４，６０５，６０６，６０７が順に接続され、ネットワーク接続装置６０７にネットワーク装置６０８が接続されるネットワーク接続装置が多段に接続される構成であったとする。
【００１１】
ネットワーク装置６０１とネットワーク接続装置６０２の間の伝送路に障害が発生したとする（＃１）。障害を検知したネットワーク接続装置６０２はネットワーク接続装置６０３に障害の発生を通知する（＃２）。ネットワーク接続装置６０３は、ネットワーク装置６０４への信号出力を停止する（＃３）。ネットワーク装置６０４は、ネットワーク接続装置６０３からの信号出力が停止されたことを、障害の発生（＃４）として検知し、ネットワーク接続装置６０５に障害の発生を通知する（＃５）。＃１〜＃９の障害の発生、障害発生の通知、信号出力停止が連鎖的に発生し、最終的に、ネットワーク装置６０８は、ネットワーク接続装置６０７からの信号出力が停止されたことにより、障害発生を検知する。
【００１２】
このように、多段に接続する構成の場合、図６に示すように、ネットワーク接続装置６０２からネットワーク接続装置６０７に至るまでの各伝送路の状態が順に「障害発生の通知」状態→「信号出力の停止」状態→「障害発生の通知」状態→「信号出力の停止」状態という具合に、「信号出力の停止」状態が連鎖的に発生すると共に、リンク状態における遷移のばたつきが生じるため、ネットワーク接続装置６０２からネットワーク接続装置６０７に障害発生を通知するのに時間がかかるという問題がある。
【００１３】
そこで、本発明の目的は、上記課題を解決し、ネットワーク接続装置が多段に接続された場合に、各ネットワーク接続装置のリンク状態における遷移のばたつきが発生せず、障害発生通知の時間を短縮できるネットワーク接続装置及びそれを用いたネットワークを提供することにある。
【課題を解決するための手段】
【００１４】
上記目的を達成するために本発明のネットワーク接続装置は、一方で受信した信号を他方に送信するよう１対１に対応した第１のポートと第２のポートと、ポートにてリンク障害が発生したことを検知するリンク障害検知部と、リンク障害が発生した一方のポートと対応する他方のポートからリンク障害が発生したことを通知するリンク障害通知信号を送信するリンク障害通知信号送信部と、リンク障害通知信号を受信したことを検知するリンク障害通知信号検知部と、リンク障害通知信号を受信したとき前記リンク障害通知信号を中継する又は中継しないの設定内容を保持する設定内容保持部と、リンク障害通知信号を受信したとき、前記設定内容に基づき、前記リンク障害通知信号を中継する又は中継しないを制御するリンク障害通知信号中継制御部と、前記リンク障害通知信号を中継しないとき、前記リンク障害通知信号を受信した一方のポートと対応する他方のポートをリンクダウンするリンクダウン制御部と、を備えるものである。
【００１５】
リンク障害通知信号を受信したとき、該リンク障害通知信号を受信したポートから第２のリンク障害通知信号を送信する第２のリンク障害通知信号送信部を備えてもよい。
【００１６】
隣接して接続する装置に対して試験用のリンク障害通知信号を送信し、前記装置と接続するポートから第２のリンク障害通知信号を受信した場合、前記装置と接続するポートと対応するポートにおいてリンク障害通知信号を受信したとき、リンク障害通知信号を前記装置と接続するポートへ中継するよう設定し、前記装置と接続するポートから第２のリンク障害通知信号を受信した場合、前記装置と接続するポートと対応するポートにおいてリンク障害通知信号を受信したとき、リンク障害通知信号を中継せず、前記装置と接続するポートをリンクダウンするよう設定する隣接装置判定部を備えてもよい。
【００１７】
前記リンク障害通知信号はIEEE802.3aeで規定されるLink Fault Signaling機能のLocal Fault信号であってもよい。
【００１８】
本発明のネットワーク接続装置を用いたネットワークは、本発明のネットワーク接続装置が多段に接続したのものである。
【発明の効果】
【００１９】
本発明は次の如き優れた効果を発揮する。
【００２０】
（１）ネットワーク接続装置が多段に接続された場合に、各ネットワーク接続装置のリンク状態における遷移のばたつきが発生せず、障害発生通知の時間を短縮できる。
【図面の簡単な説明】
【００２１】
【図１】本発明の一実施形態を示すネットワーク接続装置の内部構成図である。
【図２】本発明のネットワーク接続装置を用いた広域ネットワークの構成図である。
【図３】本発明のネットワーク接続装置を多段に用いた長距離伝送用ネットワークにおける本発明の動作を示す簡略図である。
【図４】従来のネットワーク接続装置を用いた広域ネットワークの構成図である。
【図５】図４の広域ネットワークにおける動作を示す簡略図である。
【図６】従来のネットワーク接続装置を多段に用いたネットワークの動作を示す簡略図である。
【図７】本発明の他の実施形態を示すネットワーク接続装置の内部構成図である。
【発明を実施するための形態】
【００２２】
以下、本発明の一実施形態を添付図面に基づいて詳述する。
【００２３】
（ネットワーク接続装置）
図１に示されるように、本実施形態のネットワーク接続装置１は、伝送路と接続されるポート２，３と、ポート２，３間で信号を中継する中継部１２と、ポート２，３と中継部１２を接続するためのＩＦ（Interface）部１３と、外部からネットワーク接続装置１を設定するためのシリアルポート１１と、ポート２，３、中継部１２、ＩＦ部１３、シリアルポート１１を制御するプロセッサ９と、プロセッサ９に接続されたメモリ１０とから構成される。
【００２４】
信号を入出力するポート２，３は１対１で対応する。あるポート２（３）で受信した信号はそのポートと１対１で対応した別のポート３（２）から送信するようになっている。１対１で対応するポートの組は複数あってもよい。また、複数の伝送路を一つの伝送路として用いるＬＡＧ（Ｌｉｎｋ  Ａｇｇｒｅｇａｔｉｏｎ  Ｇｒｏｕｐ）で運用し、複数のポートを一つのポートとみなして用いてもよい。
【００２５】
ポート２，３は、光トランシーバで実現される。ポート２，３と中継部１２とは、インタフェースＬＳＩで実現されるＩＦ部１３を介して接続されている。
【００２６】
中継部１２はＦＰＧＡ（Field Programmable Gate Array）で実現される。中継部１２は、ポート２で受信された信号をポート３に向けて中継し、また、ポート３で受信された信号をポート２に向けて中継するものである。中継部１２は、受信した信号を、送信先の規格に合った信号へと変換する機能を有する。
【００２７】
また、下記に説明するように、中継部１２は、プロセッサ９からの制御に従い、リンク障害通知信号や第２のリンク障害通知信号をポート２，３から出力又はその停止を行う機能を有する。中継部１２は、ポート２とポート３の間を中継する信号を監視し、中継する信号中にリンク障害通知信号を検知した場合、プロセッサ９からの設定に従い、そのリンク障害通知信号を中継する又は中継しない機能を有する。
【００２８】
プロセッサ９は、ポートにてリンク障害が発生したことを検知するリンク障害検知部４と、リンク障害通知信号を送信するよう制御するリンク障害通知信号送信部５と、リンク障害通知信号を受信したことを検知するリンク障害通知信号検知部６と、リンク障害通知信号を受信したとき該リンク障害通知信号を中継する又は中継しないを制御するリンク障害通知信号中継制御部７と、ポートからの信号出力を停止（リンクダウン）するリンクダウン制御部８と、リンク障害通知信号を受信したとき受信したポートから第２のリンク障害通知信号を送信する第２のリンク障害通知信号送信部１４とを備える。
【００２９】
ポートにて発生するリンク障害とは、ポートに接続された光ファイバなどの伝送路の断線や、ポートを構成する光トランシーバの故障、伝送路を介して接続する対向装置の故障による信号出力の停止などである。
【００３０】
リンク障害検知部４、リンク障害通知信号送信部５、リンク障害通知信号検知部６、リンク障害通知信号中継制御部７、リンクダウン制御部８及び第２のリンク障害通知信号送信部１４は、プロセッサ９が実行するプログラムで構成されている。
【００３１】
プロセッサ９には、プログラムで使用される諸データや設定内容を記憶させるためのメモリ１０が併設されている。メモリ１０は、リンク障害通知信号を受信したとき該リンク障害通知信号を中継する又は中継しないの設定内容を保持する設定内容保持部１５を有する。メモリ１０として、不揮発メモリを用いてもよい。
【００３２】
なお、本実施形態では、リンク障害検知部４、リンク障害通知信号送信部５、リンク障害通知信号検知部６、リンク障害通知信号中継制御部７、リンクダウン制御部８及び第２のリンク障害通知信号送信部１４を、プロセッサ９が実行するプログラムで構成しているが、これに限定されるものではなく、これらの一部又は全てをＡＳＩＣ（Application Specific Integrated Circuit）やＦＰＧＡなどのハードウェアで実現しても良い。
【００３３】
プロセッサ９のリンク障害検知部４は、中継部１２を監視し、又は中継部１２からの通知により、ポート２又はポート３にてリンク障害が発生したことを検知する。リンク障害検知部４は、直接ポート２，３を監視しても良い。
【００３４】
プロセッサ９のリンク障害通知信号送信部５は、リンク障害検知部４にてあるポートにおけるリンク障害を検知したとき、該ポートと１対１に対応する他のポートからリンク障害通知信号を送信するよう中継部１２を制御する。中継部１２は、プロセッサ９のリンク障害通知信号送信部５の制御に従い、障害が発生したポートと１対１に対応する他のポートからリンク障害通知信号を送信する。
【００３５】
プロセッサ９のリンク障害通知信号検知部６は、中継部１２を監視し、又は中継部１２からの通知により、ポート２又はポート３にてリンク障害通知信号を受信したことを検知する。
【００３６】
プロセッサ９のリンク障害通知信号中継制御部７は、あるポートにおいてリンク障害通知信号を受信したことを検知したとき、該リンク障害通知信号を該ポートと１対１に対応する他のポートへ中継するか、又は中継しないかを、該リンク障害通知信号を該ポートと１対１に対応する他のポートへ中継する又は中継しないの設定内容に基づいて、中継部１２に設定する。この設定内容の設定は、予めメモリ１０に設定内容保持部１５に記憶することにより、行われる。中継部１２は、プロセッサ９のリンク障害通知信号中継制御部７の設定に従い、リンク障害通知信号を中継する又は中継しない。
【００３７】
プロセッサ９のリンクダウン制御部８は、リンク障害通知信号検知部６があるポートにおいてリンク障害通知信号を受信したことを検知したとき、リンク障害通知信号中継制御部７が中継部１２にリンク障害通知信号の中継しないよう設定している場合に、リンク障害通知信号を受信したポートと１対１に対応する他のポートの信号出力を強制的に停止してリンクダウンするよう制御する。ポートのリンクダウンは、中継部１２を介して、又は直接ポートを制御して行う。
【００３８】
プロセッサ９の第２のリンク障害通知信号送信部１４は、リンク障害通知信号検知部６があるポートにおいてリンク障害通知信号を受信したことを検知したとき、該ポートから第２のリンク障害通知信号を送信するよう中継部１２を制御する。中継部１２は、プロセッサ９の第２のリンク障害通知信号送信部１４の制御に従い、リンク障害通知信号を受信したポートから第２のリンク障害通知信号を送信する。
【００３９】
ネットワーク接続装置１には、シリアルポート１１が設けられている。ネットワーク管理者は、シリアルポート１１を介してメモリ１０に設定内容を記憶させることにより、プロセッサ９に諸設定を行うことができる。例えば、中継部１２においてリンク障害通知信号を中継する又はリンク障害通知信号を中継しないの設定は、ネットワーク管理者がシリアルポート１１を介して、メモリ１０の設定内容保持部１５に設定内容を記憶することにより、行う。
【００４０】
シリアルポート１１は、ＲＳ２３２Ｃ規格に基づいてもよい。また、シリアルポート１１は、イーサネット（登録商標）ポートであってもよく、telnet（インターネット技術タスクフォース（ＩＥＴＦ）が定めるＲＦＣ８５４のプロトコル）によってネットワーク接続装置１が外部から制御できてもよい。
【００４１】
プロセッサ９には、リンク障害通知信号を検知してから、一定時間の経過を待ってから中継部１２に対して、所定のポートのリンクダウンの制御あるいは所定のポートから第２のリンク障害通知信号を送信する制御を行うことができる。待ち時間は、管理者がシリアルポート１１を介してプロセッサ９に設定する。
【００４２】
（ネットワーク接続装置を用いたネットワーク）
次に、本実施形態のネットワーク接続装置を用いたネットワークを説明する。
【００４３】
図２に示されるように、互いに長距離離れたネットワーク２０１とネットワーク２０２が長距離伝送用ネットワーク２０３を介して接続されている。
【００４４】
ネットワーク２０１の端部に位置するネットワーク装置２０４は、ネットワーク接続装置２０５に接続される。ネットワーク２０２の端部に位置するネットワーク装置２０７は、ネットワーク接続装置２０６に接続される。ネットワーク接続装置２０５とネットワーク接続装置２０６は、相互に接続される。
【００４５】
ネットワーク装置２０４，２０７は、例えば、スイッチングハブである。ネットワーク接続装置２０５，２０６は、例えば、メディアコンバータである。
【００４６】
ネットワーク接続装置２０５，２０６は、受信したデータの信号を、送信する先のネットワークの規格に変換する機能を有する。
【００４７】
ネットワーク接続装置２０５，２０６は、本実施形態のネットワーク接続装置であり、IEEE802.3aeのLink Fault Signaling（ＬＦＳ）機能を有する。
【００４８】
本実施形態では、ネットワーク接続装置はIEEE802.3aeに規定のＬＦＳ機能を利用することができる。IEEE802.3aeは、１０Ｇｂｐｓの通信速度のイーサネットを規定する。リンク障害通知信号及び第２のリンク障害通知信号として、IEEE802.3aeで規定されるＬＦＳ機能のLocal Fault信号（ＬＦ信号）とRemote Fault信号（ＲＦ信号）を用いる。
【００４９】
ＬＦＳ機能は、図２を参照して、ネットワーク接続装置２０５の右向き伝送路の上流側、例えばネットワーク装置２０４と接続された伝送路に断線等の障害が発生したとき、ネットワーク接続装置２０５はこの障害を検知し、ＬＦ信号を右向き伝送路の下流側である長距離伝送用ネットワーク２０３側のポートから送信する。ネットワーク接続装置２０６は、ＬＦ信号を受信することにより、右向き伝送路の上流で障害が発生したことを検知する。また、ネットワーク接続装置２０６は、ＲＦ信号を、左向き伝送路の下流側である長距離伝送用ネットワーク２０３側のポートから送信する。ネットワーク接続装置２０５は、ＲＦ信号を受信することにより、左向き伝送路の反対側の伝送路（右側伝送路）で障害が発生したことを検知する。
【００５０】
ネットワーク装置２０４からネットワーク接続装置２０５への伝送路で障害が発生したとき、ネットワーク装置２０７へ障害を通知する際の動作を説明する。
【００５１】
（ネットワーク装置２０７がＬＦＳ機能を備える場合）
この場合、ネットワーク管理者は予め、ネットワーク接続装置２０６に対して、ＬＦ信号を受信したとき、ＬＦ信号の中継を行うように設定する。
【００５２】
ネットワーク装置２０４とネットワーク接続装置２０５の間の伝送路に障害が発生する（＃１）。
【００５３】
障害を検知したネットワーク接続装置２０５は、ネットワーク接続装置２０６にＬＦ信号を送信する（＃２）。
【００５４】
ＬＦ信号を受信したネットワーク接続装置２０６は、ＬＦ信号をネットワーク装置２０７に送信する（＃３ａ）。
【００５５】
この結果、ネットワーク装置２０７は、ＬＦ信号を受信したことにより、図２の右向き伝送路の上流側で障害が発生したことを検知することができる。
【００５６】
さらに、ＬＦＳ機能を有するネットワーク装置２０７はネットワーク接続装置２０６にＲＦ信号を送信する（＃４ａ）。
【００５７】
（ネットワーク装置２０７がＬＦＳ機能を備えない場合）
この場合、ネットワーク管理者は予め、ネットワーク接続装置２０６に対して、ＬＦ信号を受信したとき、ＬＦ信号の中継を行わないように設定する。
【００５８】
ネットワーク装置２０４とネットワーク接続装置２０５の間の伝送路に障害が発生する（＃１）。
【００５９】
障害を検知したネットワーク接続装置２０５は、ネットワーク接続装置２０６にＬＦ信号を送信する（＃２）。
【００６０】
ＬＦ信号を受信したネットワーク接続装置２０６は、ネットワーク装置２０７への信号出力を停止する（＃３ｂ）。
【００６１】
この結果、ネットワーク装置２０７は、信号出力が停止されたことにより、障害発生を認識することができる。
【００６２】
さらに、ネットワーク接続装置２０６はネットワーク接続装置２０５にＲＦ信号を送信する（＃４ｂ）。
【００６３】
以上のように、ネットワーク装置２０７がＬＦＳ機能を有する場合、ネットワーク装置２０７がＬＦＳ機能を有さない場合のいずれの場合でも、ネットワーク接続装置４０６を適宜設定することにより、ネットワーク接続装置４０６は、ＬＦ信号の送信又はポートのリンクダウンにより、ネットワーク装置２０７に障害を通知する。
【００６４】
また、ＬＦ信号を受信したネットワーク装置４０７又はネットワーク接続装置２０６が、ＬＦ信号を受信したポートからネットワーク接続装置２０５にＲＦ信号を送信することで、ネットワーク接続装置２０５、ネットワーク装置２０４に右向き伝送路で障害が発生したことを通知する。
【００６５】
次に、本実施形態のネットワーク接続装置を多段に接続したネットワークについて説明する。
【００６６】
図３に示されるように、ネットワーク装置３０１にネットワーク接続装置３０２が接続され、ネットワーク接続装置３０２にネットワーク接続装置３０３が接続され、同様にネットワーク接続装置３０４，３０５，３０６，３０７が順に接続され、ネットワーク接続装置３０７にネットワーク装置３０８が接続されている。ネットワーク接続装置３０２〜３０７は、本実施形態に係るネットワーク接続装置である。
【００６７】
ネットワーク装置３０１，３０８はＬＦＳ機能を備えないとする。
【００６８】
ネットワーク管理者は予め、ネットワーク接続装置３０３〜３０６に対し、ＬＦ信号を受信したとき、ＬＦ信号の中継を行うように設定する。また、ネットワーク管理者は予め、ネットワーク接続装置３０２，３０７に対し、ＬＦ信号の中継を行わないように設定する。
【００６９】
ネットワーク装置３０１からネットワーク接続装置３０２への伝送路で障害が発生したとき、ネットワーク装置３０８へ障害発生を通知する際の動作を説明する。
【００７０】
ネットワーク装置３０１とネットワーク接続装置３０２の間の伝送路に障害が発生する（＃１）。
【００７１】
障害を検知したネットワーク接続装置３０２は、ネットワーク接続装置３０３にＬＦ信号を送信する。ネットワーク接続装置３０３からネットワーク接続装置３０６までは、ＬＦ信号が順次中継される（＃２）。
【００７２】
ネットワーク接続装置３０６からＬＦ信号を受信したネットワーク接続装置３０７は、ネットワーク装置３０８への信号出力を停止する（＃３）。
【００７３】
ネットワーク装置３０８は、ネットワーク接続装置３０７からの信号出力が停止されたことにより、障害発生を検知する。
【００７４】
ネットワーク接続装置３０７は、ネットワーク接続装置３０６にＲＦ信号を送信する。ネットワーク接続装置３０６からネットワーク接続装置３０２まで、ＲＦ信号が順次中継される（＃４）。
【００７５】
このように、複数のネットワーク接続装置が多段に接続されたネットワークにおいて、伝送路での障害発生の際に、「信号出力の停止」という状態が連鎖的に発生せず、また、リンク状態における遷移のばたつきも生じない。
【００７６】
（作用）
本発明のネットワーク接続装置は、一方で受信した信号を他方に送信するよう１対１に対応した第１のポートと第２のポートと、ポートにてリンク障害が発生したことを検知するリンク障害検知部と、リンク障害が発生した一方のポートと対応する他方のポートからリンク障害が発生したことを通知するリンク障害通知信号を送信するリンク障害通知信号送信部と、リンク障害通知信号を受信したことを検知するリンク障害通知信号検知部と、リンク障害通知信号を受信したとき該リンク障害通知信号を中継する又は中継しないの設定内容を保持する設定内容保持部と、リンク障害通知信号を受信したとき、設定内容に基づき、リンク障害通知信号を中継する又は中継しないを制御するリンク障害通知信号中継制御部と、リンク障害通知信号を中継しないとき、リンク障害通知信号を受信した一方のポートと対応する他方のポートをリンクダウンするリンクダウン制御部と、を備える。
【００７７】
これにより、本発明のネットワーク接続装置は、リンク障害通知信号を受信したとき該リンク障害通知信号を中継する又は中継しないの設定内容を設定することにより、リンク障害通知信号を中継する又はリンク障害通知信号を中継せずにポートのリンクダウンする動作を行う。したがって、隣接する装置がリンク障害通知信号を検知する機能（ＬＦＳ機能）を備えるか否かに応じて、リンク障害を通知する動作を適宜ネットワーク接続装置に対して設定できる。
【００７８】
また、本発明のネットワーク接続装置を用いたネットワークは、ネットワーク接続装置のリンク障害通知信号を中継する又はリンク障害通知信号を中継せずにポートのリンクダウンする動作を設定できるので、ネットワークの構成と接続する装置の機能に応じて、ネットワーク接続装置を適宜設定することにより、伝送路に障害が発生したとき、リンク状態における遷移のばたつきが発生することなく、障害発生を他の装置に通知することができる。
【００７９】
（本発明の他の実施形態）
本発明の他の実施形態のネットワーク接続装置は、隣接して接続する装置がＬＦＳ機能を備えるか否かを自動的に判定する機能を有する。
【００８０】
図７に示すように、本実施形態のネットワーク接続装置では、プロセッサ９は隣接装置判定部１６を備える。隣接装置判定部１６は、プロセッサ９が実行するプログラムで構成されている。
【００８１】
プロセッサ９の隣接装置判定部１６は、隣接して接続する装置に対して試験用のＬＦ信号を送信するよう制御する。
【００８２】
相手方の装置からＲＦ信号を受信した場合、プロセッサ９の隣接装置判定部１６は隣接して接続する装置がＬＦＳ機能を備えるものと判定する。そして、隣接装置判定部１６は、当該装置と接続するポートと１対１に対応するポートにおいてＬＦ信号を受信したとき、ＬＦ信号を当該装置と接続するポートへ中継するように、メモリ１０の設定内容保持部１５に、設定する。
【００８３】
また、相手方の装置から試験用のＲＦ信号を受信しない場合、プロセッサ９の隣接装置判定部１６は隣接して接続する装置がＬＦＳ機能を備えないものと判定する。そして、隣接装置判定部１６は、当該装置と接続するポートと１対１に対応するポートにおいてＬＦ信号を受信したとき、ＬＦ信号を中継せずに、当該装置と接続するポートをリンクダウンするように、メモリ１０の設定内容保持部１５に、設定する。
【００８４】
本実施形態のネットワーク接続装置は、隣接して接続する装置に対して試験用のリンク障害通知信号を送信し、前記装置と接続するポートから第２のリンク障害通知信号を受信した場合、前記装置と接続するポートと対応するポートにおいてリンク障害通知信号を受信したとき、リンク障害通知信号を前記装置と接続するポートへ中継するよう設定し、前記装置と接続するポートから第２のリンク障害通知信号を受信した場合、前記装置と接続するポートと対応するポートにおいてリンク障害通知信号を受信したとき、リンク障害通知信号を中継せず、前記装置と接続するポートをリンクダウンするよう設定する隣接装置判定部を備える。
【００８５】
これにより、本実施形態のネットワーク接続装置は、隣接して接続する装置がＬＦＳ機能を備えるか否かを自動的に判定することができる。これにより、ネットワーク管理者が手動でネットワーク接続装置に設定内容を設定する作業を省くことができる。
【符号の説明】
【００８６】
１  ネットワーク接続装置
２，３  ポート
４  リンク障害検知部
５  リンク障害通知信号送信部
６  リンク障害通知信号検知部
７  リンク障害通知信号中継制御部
８  リンクダウン制御部
１４  第２のリンク障害通知信号送信部
【図１】
2010212762.tif 000003
【図２】
2010212762.tif 000004
【図３】
2010212762.tif 000005
【図４】
2010212762.tif 000006
【図５】
2010212762.tif 000007
【図６】
2010212762.tif 000008
【図７】
2010212762.tif 000009